(57)【要約】【課題】ワーカーの要望に配慮した多人数ワーキング用複合家具を提供する。【解決手段】複合家具は、人が前後に向かい合って使用するテーブル１と、テーブル１の端縁１ｂの箇所に配置したソファ２とを有する。ソファ２は、２つを背中合わせに配置して端縁２ｂの箇所に配置することも可能である。テーブル１の使用者は、わざわざ休憩室に出向かなくてもソファ２で休息できる。従って、ワーカーにとって便利である共に、居場所ははっきりしているので、連絡を取る上での問題もない。ソファ２を利用して打合せや商談なども行うことができるが、ソファ２の天板８とテーブル１の天板３とは同一面になっているので、ノートパソコンや資料などを安定良く載置できる。【選択図】図１
2018068979.tif 000002
【特許請求の範囲】
【請求項１】
複数人が椅子に腰掛けて天板に向かって仕事を行うテーブルと、少なくとも座と背もたれとを有していて着座者の身体に当たる部分はクッション材で構成されているソファとを有しており、
前記ソファの上面は木材又は他の素材からなる天板で構成されており、前記ソファを、前記テーブルのうち人の並び方向と直交した端縁の箇所に、着座者がテーブルの天板と対向しない姿勢になるようにして添設しており、かつ、前記テーブルの天板とソファの天板とは同一面に設定されている、
多人数ワーキング用複合家具。
【請求項２】
前記クッション材の上端縁は、前記天板のうち着座者の側に向いた端面よりも内側に張り出している、
請求項１に記載した多人数ワーキング用複合家具。
【請求項３】
前記ソファは、着座者の左右両側に脇部が形成されていて、背もたれと左右脇部とで平面視コ字形の形態を成しており、ソファの天板も平面視でコ字状になっている、
請求項１又は２に記載した多人数ワーキング用複合家具。
【請求項４】
前記天板は、前記背もたれ及び脇部から外向きに突出した張り出し部を有しており、前記張り出し部に、ソファの天板とテーブルの天板とを連結するための連結部材を固定している、
請求項１〜３のうちのいずれかに記載した多人数ワーキング用複合家具。
【請求項５】
前記ソファの左右幅寸法は前記テーブルにおける天板の前後幅寸法と同じ寸法であり、かつ、前記ソファの奥行き寸法は左右幅寸法の半分になっている、
請求項３又は４に記載した多人数ワーキング用複合家具。
【請求項６】
左右に離して配置されたテーブルの間に、複数のソファが前後に背中合わせ状の姿勢で配置されて、各ソファにおける天板の一側端はテーブルにおける天板の端縁と当接しており、かつ、隣り合ったテーブルの天板とソファの天板とは連結部材で連結されている、
請求項１〜５のうちのいずれかに記載した複合家具。
【発明の詳細な説明】
【技術分野】
【０００１】
本願発明は、テーブルとソファとを組み合わせて構成された多人数ワーキング用複合家具に関するものである。
【背景技術】
【０００２】
テーブルとソファとを組み合わせた家具として、特許文献１〜４のようなものが提案されている。このうち特許文献１は、テーブルは長方形になっており、その一長手側縁の箇所にソファを配置しており、人はソファに腰掛けて執務を行えるようになっている。
【０００３】
また、特許文献２では、ソファは平面視略四角形でＬ形の枠部を有している。特許文献３において、図８に表示されている使用例では、テーブルを挟んだ両側に２つずつのソファを配置している。他方、特許文献３は、左右の門型脚で天板を支持した形態のテーブルにソファを組合わせており、テーブルは、ソファの背面部に配置している。特許文献４のものは、基本態様は特許文献３と同じであり、ソファ２の背面部のみでなく左右側部にもテーブルを配置できることが開示されている。
【０００４】
特許文献１，２は、ソファに座った人がテーブルを使用するようになっており、特許文献１の場合は、ソファに座った人は、テーブルの天板と向かい合うことができる。特許文献２は、一種の応接セットと思われ、テーブルをオフィスでの執務用として使用できるものではないと思われる。
【０００５】
他方、特許文献３，４では、テーブル１は様々な態様でソファと組み合わせできるが、ソファは単に人が腰掛ける機能しか持っておらず、ミーティングや商談等が便利になるようソファに積極的な役割を持たせているものではない。
【先行技術文献】
【特許文献】
【０００６】
【特許文献１】意匠登録第１５０６２３６号公報
【特許文献２】特開２０１６−５１８１６３号公報
【特許文献３】米国意匠特許第６７５４５９号公報
【特許文献４】米国特許第８５３４７５２号明細書
【発明の概要】
【発明が解決しようとする課題】
【０００７】
さて、オフィスにおいて、テーブルの片側又は両側に多数人が横に並んで執務することは広く行われており、複数のテーブルを左右に連結したり並設したりすることも広く行われている。いわば、長いテーブルを使用して多数人が並んで仕事をするのであるが、人は自席を離れて休息したい場合もあるし、上司や他の部署の人と打ち合わせしたい場合もある。
【０００８】
そして、休息したい場合は、通常は、専用の休息スペース（休憩室や、フロアー又は廊下の一部にソファを配置した休憩エリアなど）に赴くことが多く、テーブル自体に休息機能を持たせることは行われていない。すなわち、仕事と休息とは相反することと捉えており、仕事用の多人数用テーブルに休息機能を持たせるという発想はみられない。いずれにしても、休息時には人はテーブルから完全に離れてしまい、テーブルを使用している他の人の視界から消えてしまうため、外部から電話などがあったときに連絡をとり難い等の問題がある。
【０００９】
他方、テーブルを使用している人と上司等が打ち合わせなどを行う場合は、一緒に別の部屋に赴くか、打ち合わせしたい人のところに椅子を引いて行き、隣に腰掛けて打ち合わせするといったことが行われているが、一々別の部屋に赴くのは面倒であり、さりとて、テーブルを使用している横に腰掛けて打ち合わせすると、隣にいる人の迷惑になるという問題がある。
【００１０】
本願発明はこのような現状を改善すべく成されたものであり、ワーカーが働きやすくて一般性（実用性）も高い多人数ワーキング用複合家具を提供せんとするものである。
【課題を解決するための手段】
【００１１】
本願発明は、テーブルとソファとを組み合わせた多人数ワーキング用複合家具を提案するものである。この多人数ワーキング用複合家具は、請求項１のとおり、複数人が椅子（例えば回転椅子）に腰掛けて天板に向かって仕事を行うテーブルと、少なくとも座と背もたれとを有していて着座者の身体に当たる部分はクッション材で構成されているソファとを有しており、前記ソファの上面は木材又は他の素材からなる天板で構成されており、前記ソファを、前記テーブルのうち人の並び方向と直交した端縁の箇所に、着座者がテーブルの天板と対向しない姿勢になるようにして添設しており、かつ、前記テーブルの天板とソファの天板とは同一面に設定されている。
【００１２】
本願発明の複合家具は、様々に展開できる。その例として請求項２では、前記クッション材の上端縁は、前記天板のうち着座者の側に向いた端面よりも内側に（着座者の側に）張り出している。請求項３では、前記ソファは、着座者の左右両側に脇部が形成されていて、背もたれと左右脇部とで平面視コ字形の形態を成しており、ソファの天板も平面視でコ字状になっている。また、請求項４では、請求項１〜３のうちのいずれかにおいて、前記天板は、前記背もたれ及び脇部から外向きに突出した張り出し部を有しており、前記張り出し部に、ソファの天板とテーブルの天板とを連結するための連結部材を固定している。
【００１３】
請求項５では、請求項３又は４において、前記ソファの左右幅寸法は前記テーブルにおける天板の前後幅寸法と同じ寸法であり、かつ、前記ソファの奥行き寸法は左右幅寸法の半分になっている。
【００１４】
請求項６では、請求項１〜５のうちのいずれかにおいて、左右に離して配置されたテーブルの間に、複数のソファが前後に背中合わせ状の姿勢で配置されて、各ソファにおける天板の一側端はテーブルにおける天板の端縁と当接しており、かつ、隣り合ったテーブルの天板とソファの天板とは連結部材で連結されている。
【００１５】
本願発明において、「テーブル」は、複数台を並設したり連結したりしたものも含んでいる。すなわち、単数と複数とを含んでいる。また、天板の片側だけから人が使用するもの（片面使い）と、人の列が前後に向かい合うもの（両面使い）との両方を含んでいる。片面使いのテーブルを背中合わせに配置する場合もあり、この場合は、実質的には両面使いと同じになる。
【発明の効果】
【００１６】
本願発明では、多くの人が使用するテーブルにソファを添設しているため、ワーカーが休息したい場合、一々休憩室や廊下に出向く必要はなく、ソファで休息できる。そして、ソファで休息していることは同僚や上司等が把握しているため、例えば電話などがあった場合には即座に伝えることができる。このため、ワーカーに即座に連絡できる状態を確保しつつ、ワーカーの休息要請に応えることができる。
【００１７】
そして、ソファはテーブルのうち人の列と直交した端縁に配置しているため、人がソファに座っていても、テーブルで執務している人の邪魔になることはないし、ソファで休息する人にとっても、テーブルで仕事をしている人に気兼ねすることがない。従って、ソファを休息用として使いやすい（休憩の目的を達成できる。）。
【００１８】
また、ソファは打ち合わせに使用することも可能であるため、一々他の部屋に移動する必要はなくて、非常に便利である。そして、ソファの天板にノートパソコンや資料などを載置できるが、テーブルの天板と同一面になっているため、ノートパソコンや資料はテーブルの天板にはみ出した状態で載せることができる。従って、ノートパソコンや打ち合わせ資料などを扱いやすい。このような打ち合わせ用途を考慮すると、ソファは複数人が掛け得る幅であるのが好ましい。
【００１９】
請求項２の構成を採用すると、着座者が後ろに身体を倒したり横に倒したりしても、身体が天板の縁に当たることがないため、使用者に違和感を与えることがない。
【００２０】
ソファは様々な形態を採用できるが、請求項３のように、背もたれと脇部とでコ字形を構成したものを採用すると、天板の側部を肘当てとしても使用できるため、休息の用途に使用する場合、安楽性を向上できる。また、ソファを使用して打合せしたり、一人で仕事したりすることも可能であるが、天板の側部（脇部の上面）にノートパソコンやタブレット端末のような携帯機器等の物品を載せることができるため、重宝である。ソファを２人掛けにすると、それぞれの人が天板の片方の側部を使用できるため、好適である。
【００２１】
テーブルの天板とソファの天板とを連結すると、両天板を完全な同一面に保持して使い勝手や美観を向上できる利点がある。この場合、請求項４の構成を採用すると、連結部材はソファの天板のはみ出し部に締結しているため、連結部材の締結や取り外しを容易に行える。また、テーブルの天板とソファの天板とを同じ厚さに設定しておくと、板状の連結部材を両天板の下面に締結することによって両天板を同一面に保持できるため、単純な構造の連結部材で両天板を同一面に確実に連結することができる利点がある。
【００２２】
請求項５の構成を採用すると、１のソファをテーブルのエンド部と背中合わせ状に配置したり、請求項６のように、２つのソファを横向きにして背中合わせに配置して左右のテーブルの間に配置したりするにおいて、テーブルの天板の前後縁とソファの天板の前後縁とを同一面に揃えることができる。このため、すっきりとした外観を実現できる。
【００２３】
請求項６のように、２つのソファを背中合わせの横向き姿勢にして配置すると、両面使いのテーブルの場合は、テーブルの一方の側で腰掛けた人と、他方の側に腰掛けた人とにそれぞれソファが提供されるため、ワーカーの要請に的確に応えることができると共に、人の移動量も少なくすることができる。
【図面の簡単な説明】
【００２４】
【図１】第１実施形態を示す図で、（Ａ）は全体の斜視図、（Ｂ）はソファの斜視図、（Ｃ）はソファの平面図である。
【図２】第２実施形態を示す図で、（Ａ）は平面図、（Ｂ）は端部の斜視図である。
【図３】（Ａ）は第３実施形態を示す図、（Ｂ）は第４実施形態を示す図ある。
【図４】第５実施形態を示す図で、（Ａ）は平面図、（Ｂ）は１つの使用例を示す平面図である。
【図５】第５実施形態の他の使用例を示す図である。
【発明を実施するための形態】
【００２５】
(1).第１実施形態
次に、本願発明の実施形態を図面に基づいて説明する。まず、図１に示す第１実施形態を説明する。本実施形態では、２台のテーブル１と３つのソファ２とでシステムが構成されている。テーブル１は、平面視四角形の天板３を四隅において脚４で支えている構造であり、天板３には配線穴５が開口している。テーブル１は、長方形のものと正方形のものとの２種類のテーブルを使用しているが、使用するテーブル１の横幅に任意に選択できる。複数のテーブル１を左右に連結することも可能である。
【００２６】
テーブル１は、その前後縁１ａの側が人の使用エリアになっており、人が前後に向かい合って使用できる。長いテーブル１は片側を４人程度が使用でき、短いテーブル１では片側を２人程度が使用できる。テーブル１を左右に連結する場合は、連結部に位置した脚４は内側にずらすことができる。従って、片側２人掛けのテーブル１の場合、２台のテーブル１を左右に連結すると、片側５人掛けのテーブル１と成すことができる。
【００２７】
テーブル１は、使用側である前後側縁１ａと直交した左右２つの端縁１ｂを有するが、１つの端縁１ｂの箇所に、１つのソファ２を、テーブル１の端縁１ｂと背中合わせ姿勢で配置している。従って、このソファ２には、人はテーブル１を背にした状態で腰かける。また、左右２台のテーブル１を互いに話して設置しており、この左右２台のテーブル１の間には、２つのソファ２が、左右横向きにした姿勢で配置されている。従って、ソファ２同士は背中合わせになっている。
【００２８】
ソファ２は、人が腰掛けるシート部６と、シート部６の上に立ち上がった平面視コ字形の枠部（壁部）７とを有している。つまり、座部６と、背もたれ及び脇部を有しており、背もたれと脇部とで平面視コ字形の枠部７が構成されている。枠部７は、基材の内周面にクッション材を張った構造である（当然ながら、クッション材は表皮材で覆われている。）。座部６も同様であり、座板にクッション材を張って、クッション材を表皮材で覆っている。
【００２９】
枠部７の上面は天板８で構成されている。この場合、天板８の内周面はクッション部の上端縁の前面よりも少し外側にずれている。換言すると、枠部（クッション部）７の上端は、天板８のうち着座者に向いた内周面から内側（着座者の側）に張り出して（迫り出して）いる。従って、着座した人が身体を後ろや横に倒しても、身体が天板８に当たることはない。また、天板８はその四隅部が支柱９で支持されており、枠部７の基材と座板とは、支柱９に固定されている。
【００３０】
更に、ソファ２の天板８は、四隅を支柱９で支持していることに起因して、外周部は枠部７の外側にはみ出た張り出し部になっており、この張り出し部の下面に、テーブル１の天板３と連結するための板状の連結部材１０をビスで固定している。ソファ２の天板８とテーブル１の天板３とは同じ厚さになっている。従って、ソファ２の天板８の上面とテーブル１の天板３の上面とは同一面に揃えられている。
【００３１】
ソファ２を構成する天板８の左右幅Ｗは、テーブル１の前後奥行き寸法Ｌと同じ寸法に設定しており、また、ソファ２を構成する天板８の奥行きは、左右幅Ｗの半分（Ｗ／２）に設定されている。従って、ソファ２の背面をテーブル１の端縁１ｂに当てた状態では、テーブル１の天板３の前後縁とソファ２の天板８の左右側面とが同一面を成しており、隣り合ったテーブル１の間に２つのソファ２を配置した状態では、テーブル１の天板３の前後縁とソファ２の天板８の前縁とが同一面を成している。このため、テーブル１の天板３とソファ２の天板８とが一枚板のように連続して、美観に優れている。
【００３２】
ソファ２の天板８は、全体に亙って幅等幅になっているが、ノートパソコンを安定的に載せ得る寸法（例えば１０数センチ〜２０数センチ）に設定されている。ソファ２は、２人掛けになっている。テーブル１の端縁に、２つのソファ２を配置することも可能である。（Ａ）に一点鎖線で示すように、机上空間を前後に仕切る机上パネルＰを配置することも可能である。この場合、机上パネルＰは、隣り合ったテーブル１の間においては前後のソファ２の箇所にも配置しているが、ソファ２の箇所には机上パネルＰを配置しない構成も採用可能である。
【００３３】
ソファ２の使用態様は様々であり、まず、単純な休息に使用できる。ソファ２の使用者は、テーブル１を使用している人でもよいし、テーブル１の使用者でない人であってもよい。敢えて述べるまでもないが、ソファ２の天板８には、飲み物などの休息用補助物品や他の物品を載置できる。
【００３４】
ソファ２は、打ち合わせや商談などにも使用できる。ノートパソコンのような機器、書類などの資料類がある場合は、これらをソファ２の天板に載せることができるし、テーブル１の天板３まではみ出させることもできる。テーブル１の端に位置している人と打ち合わせなどを行うことも可能である。ソファ２を横向き姿勢にすると、テーブル１の使用者との打ち合わせを容易に行うことができる。
【００３５】
(2).他の実施形態
図２に示す実施形態では、テーブル１は三ツ矢状の天板を備えており、２つの端縁１ｂの箇所に、それぞれ正方形状の１人掛け用ソファ１１を左右に並べて配置している。１人掛け用ソファ２は、平面視Ｌ形の枠部７及びびしてＬ形の天板８を有しており、図１（Ｂ）に表示したのと同様の連結部材１０により、テーブル１の天板３に固定されている。左右のソファ２の天板８同士を連結部材で連結することも可能である。
【００３６】
１人掛け用ソファ１１は、人は、対角方向を向いた姿勢で腰掛けることも、横向き姿勢で腰掛けることもできる。テーブル１の端縁１ｂと平行な方向を向いて腰掛けると、テーブル１の端に位置した人の打ち合わせなどを行いやすい。
【００３７】
ソファ２の天板８とテーブル１の天板３とは、連結してもよいし、ソファ２をテーブル１の端縁１ｂに非固定状態に添設しただけでもよい。連結する場合は、第１実施形態と同様の連結部材１０を使用してもよいし、上水平片と垂下部とを有する逆Ｌ形の連結金具を使用して、垂下部はソファ２の外周面にビスで固定して、上水平片をビスでテーブル１の天板３に固定してもよい。
【００３８】
図２の例では、２つのテーブル１の間に、図１の場合と同様に２人掛け用のソファ２を背中合わせにして配置している。図示していないが、２つのテーブル１を直線状に配置しつつ間隔を空けて配置して、両方のテーブル１の端縁１ｂに、図１と同様の状態で２人掛けソファ２を配置することも可能である。この場合は、一方のテーブル１に固定したソファ２と、他方のテーブル１に固定したソファ２とは、互いに向かい合わせになる。このため、打合せや商談などに便利である。２つのソファ２の間に小テーブルを配置すると、更に好ましい。
【００３９】
図３（Ａ）に示す第３実施形態では、左右に話して配置した２つのテーブル１の間に、第２実施形態で使用している一人掛け用のソファ１１を、前後左右に並べて４つ配置している。左右一対のソファ１１を背中合わせ状に配置し、かつ、左右のソファ２は、左右外側と前後方向とに開口する姿勢になっている。従って、ソファ１１の天板８は十字形になっている。一人掛け用ソファ１１は平面視正方形にている。このため、図２の態様でも図（Ａ）の態様でも、２つのソファ２は、天板８の外端面をテーブル１の天板３の前後端面と同一面を成した状態に配置できる。
【００４０】
図３（Ｂ）に示す第４実施形態では、左右に離れた２つのテーブル１の間に、２人掛け用の１つのソファ２と、１人掛け用の２つのソファ２とを背中合わせ状に配置している。ソファ２，１１には、キャスタを設けることが可能である。ソファ２にキャスタを設けると、ソファ２のレイアウトの変更が容易になる。
【００４１】
図４，５に示す例では、２掛け用のコ字形ソファ２の天板８を支柱９で支持しつつ、シート部６と枠部７とからなる本体部１２を天板８に対して分離している。本体部１２にキャスタ（図示せず）を設けている。従って、本体部１２は任意の姿勢に配置できる。このため、人は様々な姿勢（向き）で腰掛けることができる。
【００４２】
以上、本願発明の実施形態を説明したが、本願発明は他にも様々に具体化できる。例えば、テーブルは平面視Ｌ形やく字形なども採用可能である。ソファは、３人以上が掛けるものでもよい。
【産業上の利用可能性】
【００４３】
本願発明は、実際に具体化できる。従って、産業上利用できる。
【符号の説明】
【００４４】
１  テーブル
１ｂ  端縁
２，１１  ソファ
３  テーブルの天板
４  テーブルの脚
６  ソファのシート部
７  ソファの枠部
８  ソファの天板
９  支柱
１０  連結部材
【図１】
2018068979.tif 000003
【図２】
2018068979.tif 000004
【図３】
2018068979.tif 000005
【図４】
2018068979.tif 000006
【図５】
2018068979.tif 000007